(57)【要約】  本発明は、インプラントを収容するための空間を定義する内壁を含む本体部と、前記本体部の一側に分離可能に結合されるキャップ部と、前記本体部内で前記インプラントの位置を固定する固定部と、前記キャップ部と向かい合うように前記本体部に結合された底部と、前記本体部の内壁に備えられ、前記底部側から照射された紫外線を反射させる本体部反射体と、を含むインプラント包装容器に関する。また、本発明は、インプラントが患者の顎骨に埋め込まれる前にフィクスチャーの親水性を簡便に且つ効率的に向上させることによって、フィクスチャーの生体組織に対する生体適合性を向上させ、移植時の骨との結合時間を短縮させ、患者が体感し得る苦痛を軽減できるようにし、患者の顎骨に埋め込まれる直前までインプラントを滅菌状態に維持するためのインプラント包装容器に関する。
2019514583.tif 000002
【特許請求の範囲】
【請求項１】
インプラントを収容するための空間を定義する内壁を含む本体部と、
前記本体部の一側に分離可能に結合されるキャップ部と、
前記本体部内で前記インプラントの位置を固定する固定部と、
前記キャップ部と向かい合うように前記本体部に結合された底部と、
前記本体部の内壁に備えられ、前記底部側から照射された紫外線を反射させる本体部反射体と、を含む、インプラント包装容器。
【請求項２】
前記本体部に実装されたインプラントをさらに含み、
前記インプラントは、前記固定部に結合されるアバットメント接続部分、アバットメント及びフィクスチャーを含み、
前記フィクスチャーは、前記固定部と前記底部との間に配置された、請求項１に記載のインプラント包装容器。
【請求項３】
前記底部は前記本体部から脱着可能であり、
前記底部が脱離された後、紫外線が前記本体部の内部に照射される、請求項１又は２に記載のインプラント包装容器。
【請求項４】
前記固定部は、前記底部から前記本体部の内部に照射される紫外線を反射させるための固定部反射体を含む、請求項１又は２に記載のインプラント包装容器。
【請求項５】
前記本体部反射体は、前記底部を透過した紫外線を反射させる、請求項１又は２に記載のインプラント包装容器。
【請求項６】
前記本体部反射体は、アルミニウム系物質、フッ素系ポリマー、ＳＵＳ、ガラス及びセラミック系物質からなる群から選ばれるいずれか一つ又はこれらの組み合わせを含む、請求項１又は２に記載のインプラント包装容器。
【請求項７】
前記本体部反射体は、アルミニウム又はポリテトラフルオロエチレン（ｐｏｌｙ  ｔｅｔｒａ  ｆｌｕｏｒｏ  ｅｔｈｙｌｅｎｅ）である、請求項６に記載のインプラント包装容器。
【請求項８】
前記本体部反射体の厚さは０．００３ｍｍ以上５０ｍｍ以下である、請求項１に記載のインプラント包装容器。
【請求項９】
前記本体部反射体の長さは、前記本体部に収容される前記インプラントの前記フィクスチャーの長さの１／３以上である、請求項２に記載のインプラント包装容器。
【請求項１０】
前記本体部反射体は、内部空間が前記底部から前記キャップ部に向かって狭くなるように形成された少なくとも一部の内壁面領域を含む、請求項１に記載のインプラント包装容器。
【請求項１１】
前記本体部反射体は、反射性物質で構成された前記本体部である、請求項１又は２に記載のインプラント包装容器。
【請求項１２】
前記本体部反射体は、前記本体部の内壁にコーティングされた反射物質層である、請求項１又は２に記載のインプラント包装容器。
【請求項１３】
前記本体部反射体は、前記本体部に付着した反射テープである、請求項１又は２に記載のインプラント包装容器。
【請求項１４】
前記本体部反射体は、前記本体部に挿入された筒状の反射体である、請求項１又は２に記載のインプラント包装容器。
【請求項１５】
前記本体部の内壁に前記本体部反射体を固定する１以上の結着部をさらに含む、請求項１４に記載のインプラント包装容器。
【請求項１６】
前記本体部は、その内部において前記本体部反射体と前記底部との間に前記本体部反射体を据え置くことができる据置部をさらに含む、請求項１４に記載のインプラント包装容器。
【請求項１７】
前記本体部の内部に紫外線を照射するための紫外線光源をさらに含み、
前記紫外線光源は前記底部に配置されている、請求項１又は２に記載のインプラント包装容器。
【請求項１８】
前記本体部反射体から前記インプラントまでの最短距離をＡとし、前記紫外線光源から前記インプラントまでの最短距離をＢとしたとき、Ａ及びＢは、０．１ｍｍ≦Ａ≦５０ｍｍを満たし、０．７≦Ｂ／Ａ≦１を満たす、請求項１７に記載のインプラント包装容器。
【発明の詳細な説明】
【技術分野】
【０００１】
本発明は、インプラント包装容器に関し、より具体的には、インプラントが患者の顎骨に埋め込まれる前にインプラントを滅菌状態に維持するためのインプラント包装容器に関する。
【背景技術】
【０００２】
歯科用インプラントは、歯根の役割をするフィクスチャー（ｆｉｘｔｕｒｅ）と、前記フィクスチャーに接続され、補綴物が接続されるアバットメント（ａｂｕｔｍｅｎｔ）と、前記アバットメントに載せられる補綴物とを含んで構成されており、顎骨に埋め込まれる前記フィクスチャーを歯に堅固に固定させることが重要である。
【０００３】
前記フィクスチャーの素材として多様な金属及び合金が開発されているが、チタン（Ｔｉ）金属又はその合金が主に用いられている。チタン又はその合金は、加工が容易であり、人間の生体組織に対する高い生体適合性、高い機械的強度、及び生体不活性を有するという長所を有する。しかし、チタン又はその合金自体は、人体への移植時の骨との結合時間が長く、移植してから長時間が経過すると金属イオンが生体に溶け込むおそれがあるという短所を有する。
【０００４】
このような短所を補完するために、前記チタン又はその合金材料の表面を適宜処理し、骨結合を強化できる技術が開発された。具体的には、骨結合の速度及び品質は、表面調整、表面粗さ、親水性などのフィクスチャーの表面特性及び化学組成と密接な関係を有している。特に、親水性の大きい表面を有するフィクスチャーは、生体溶液、細胞及び組織との相互作用に有利なものとして知られている。
【０００５】
前記フィクスチャーの表面には、チタンが空気中で酸化されることによって酸化膜（ＴｉＯ2）を形成することができ、前記チタン酸化膜は、生体で安定的であり、生体適合性に優れ、細胞との反応でも肯定的な特徴を示すものと報告されており、酸化処理したインプラントは、機械加工のみを行ったインプラントに比べると、移植時の骨との結合力に優れる。
【０００６】
一方、前記フィクスチャーの表面に形成された酸化膜は、形成直後に比べると、形成してから一定期間が経過した後で親水性が劣悪になり得る。したがって、従来は、前記フィクスチャーの親水性を向上させるために、インプラントの包装前にＵＶを照射する方法を用いる、又は紫外線照射装置を用いてインプラントの移植前に追加的にＵＶを照射していた。
【０００７】
しかし、インプラントの包装前にＵＶを照射する場合は、一定期間が経過した後で施術に適用するとき、親水性が著しく劣悪になり、患者に苦痛を誘発させるという問題がある。また、紫外線照射装置を用いる場合は、インプラントを包装容器から取り出す過程でインプラントが汚染される可能性が高い。
【０００８】
したがって、インプラントを患者の顎骨に埋め込む前に滅菌状態でフィクスチャーの親水性を向上させる効果的な方法又は包装容器の開発が必要な実情にある。
【発明の概要】
【発明が解決しようとする課題】
【０００９】
本発明が解決しようとする課題は、インプラントが患者の顎骨に埋め込まれる前にフィクスチャーの親水性を簡便に且つ効率的に向上させることによって、フィクスチャーの生体組織に対する生体適合性を向上させ、移植時の骨との結合時間を短縮させ、患者が体感し得る苦痛を軽減できるインプラント包装容器を提供することにある。
【００１０】
本発明が解決しようとする他の課題は、患者の顎骨に埋め込まれる直前までインプラントを滅菌状態に維持できるインプラント包装容器を提供することにある。
【課題を解決するための手段】
【００１１】
本発明の一実施例は、インプラントを収容するための空間を定義する内壁を含む本体部と、前記本体部の一側に分離可能に結合されるキャップ部と、前記本体部内で前記インプラントの位置を固定する固定部と、前記キャップ部と向かい合うように前記本体部に結合された底部と、前記本体部の内壁に備えられ、前記底部側から照射された紫外線を反射させる本体部反射体と、を含むインプラント包装容器を提供する。
【００１２】
本発明の他の実施例は、前記本体部に実装されたインプラントをさらに含み、前記インプラントは、前記固定部に結合されるアバットメント接続部分、アバットメント及びフィクスチャーを含み、前記フィクスチャーは、前記固定部と前記底部との間に配置されたインプラント包装容器を提供する。
【００１３】
本発明の更に他の実施例において、前記底部は前記本体部から着脱可能であり、前記底部が脱離された後、紫外線が前記本体部の内部に照射されるインプラント包装容器を提供する。
【００１４】
本発明の更に他の実施例において、前記固定部は、前記底部から前記本体部の内部に照射される紫外線を反射させるための固定部反射体を含むインプラント包装容器を提供する。
【００１５】
本発明の更に他の実施例において、前記本体部反射体は、前記底部を透過した紫外線を反射させるインプラント包装容器を提供する。
【００１６】
本発明の更に他の実施例において、前記本体部反射体は、アルミニウム系物質、フッ素系ポリマー、ＳＵＳ、ガラス及びセラミック系物質からなる群から選ばれるいずれか一つ又はこれらの組み合わせを含むインプラント包装容器を提供する。
【００１７】
本発明の更に他の実施例において、前記本体部反射体は、アルミニウム又はポリテトラフルオロエチレン（ｐｏｌｙ  ｔｅｔｒａ  ｆｌｕｏｒｏ  ｅｔｈｙｌｅｎｅ）であるインプラント包装容器を提供する。
【００１８】
本発明の更に他の実施例において、前記本体部反射体の厚さは０．００３ｍｍ以上５０ｍｍ以下であるインプラント包装容器を提供する。
【００１９】
本発明の更に他の実施例において、前記本体部反射体の長さは、前記本体部に収容される前記インプラントの前記フィクスチャーの長さの１／３以上であるインプラント包装容器を提供する。
【００２０】
本発明の更に他の実施例において、前記本体部反射体は、内部空間が前記底部から前記キャップ部に向かって狭くなるように形成された少なくとも一部の内壁面領域を含むインプラント包装容器を提供する。
【００２１】
本発明の更に他の実施例において、前記本体部反射体は、反射性物質で構成された前記本体部であるインプラント包装容器を提供する。
【００２２】
本発明の更に他の実施例において、前記本体部反射体は、前記本体部の内壁にコーティングされた反射物質層であるインプラント包装容器を提供する。
【００２３】
本発明の更に他の実施例において、前記本体部反射体は、前記本体部に付着した反射テープであるインプラント包装容器を提供する。
【００２４】
本発明の更に他の実施例において、前記本体部反射体は、前記本体部に挿入された筒状の反射体であるインプラント包装容器を提供する。
【００２５】
本発明の更に他の実施例は、前記本体部の内壁に前記本体部反射体を固定する１以上の結着部をさらに含むインプラント包装容器を提供する。
【００２６】
本発明の更に他の実施例において、前記本体部は、その内部において前記本体部反射体と前記底部との間に前記本体部反射体を据え置くことができる据置部をさらに含むインプラント包装容器を提供する。
【００２７】
本発明の更に他の実施例は、前記本体部の内部に紫外線を照射するための紫外線光源をさらに含み、前記紫外線光源は、前記底部に配置されている、インプラント包装容器を提供する。
【００２８】
本発明の更に他の実施例は、前記本体部反射体から前記インプラントまでの最短距離をＡとし、前記紫外線光源から前記インプラントまでの最短距離をＢとしたとき、Ａ及びＢは、０．１ｍｍ≦Ａ≦５０ｍｍを満たし、０．７≦Ｂ／Ａ≦１を満たすインプラント包装容器を提供する。
【発明の効果】
【００２９】
本発明の一実施例に係るインプラント包装容器は、本体部の内部に紫外線を反射できる本体部反射体が備えられ、紫外線がインプラント、特に、インプラントのフィクスチャーの全領域にわたって均一に照射され得る。
【００３０】
本発明の他の実施例に係るインプラント包装容器は、本体部反射体の他にキャップ部反射体をさらに備えており、インプラントのフィクスチャーの全領域にわたって紫外線がさらに均一に照射され得る。
【００３１】
本発明の更に他の実施例に係るインプラント包装容器は、本体部の内部に紫外線光源が実装され、紫外線照射のためにインプラントを空気中に露出させる必要がないので、インプラントを患者の顎骨に埋め込む直前まで滅菌状態に維持することができる。
【００３２】
本発明の更に他の実施例に係るインプラント包装容器は、本体部の内部に紫外線光源が実装され、容器が必ずしも紫外線透過材質で形成される必要がないので、製造単価を低下させ得る。
【００３３】
本発明の更に他の実施例に係るインプラント包装容器は、反射体の形態、反射体の長さ、及び紫外線光源からインプラントへの垂直最小距離を制御することによって、インプラントのフィクスチャーの全領域にわたって紫外線が均一に照射され得る。
【００３４】
したがって、本発明の一実施例に係るインプラント包装容器は、インプラントが患者の顎骨に埋め込まれる前にインプラントのフィクスチャーの全領域にわたって紫外線が均一に照射できるように制御し、フィクスチャーの親水性を簡便に且つ効率的に向上させることによって、フィクスチャーの生体組織に対する生体適合性を向上させ、移植時の骨との結合時間を短縮させ、患者が体感し得る苦痛を軽減できると同時に、インプラントが患者の顎骨に埋め込まれる直前まで滅菌状態に維持され得る。
【図面の簡単な説明】
【００３５】
【図１】本発明の第１実施例に係るインプラント包装容器を示した断面図である。
【図２】本発明の第１実施例に係るインプラント包装容器を示した断面図である。
【図３】本発明の第１実施例に係るインプラント包装容器を示した断面図である。
【図４】本発明の第１実施例に係るインプラント包装容器を示した断面図である。
【図５】本発明の第１実施例に係るインプラント包装容器を示した断面図である。
【図６】（ａ）は、本発明の一実施例に係るインプラント包装容器の本体部及び本体部反射体を示した斜視図であり、（ｂ）〜（ｆ）は、（ａ）を参照して、本発明の一実施例に係るインプラント包装容器の本体部反射体の多様な形態を示した断面図である。
【図７】本発明の第２実施例に係るインプラント包装容器を示した断面図である。
【図８】本発明の第２実施例に係るインプラント包装容器を示した断面図である。
【図９】本発明の第２実施例に係るインプラント包装容器を示した断面図である。
【図１０】本発明の第２実施例に係るインプラント包装容器を示した断面図である。
【図１１】本発明の第２実施例に係るインプラント包装容器を示した断面図である。
【図１２】本発明の第２実施例に係るインプラント包装容器の接続端子の結合形態を示した断面図である。
【図１３】本発明の第２実施例に係るインプラント包装容器の接続端子の結合形態を示した断面図である。
【発明を実施するための形態】
【００３６】
以下では、本発明に対してより詳細に説明する。本明細書に記載されていない内容は、本発明の技術分野又は類似分野で熟練した者であれば十分に認識して類推可能なものであるので、それについての説明は省略する。
【００３７】
第１実施例
図１〜図２は、本発明の一実施例に係るインプラント包装容器を示した断面図である。
【００３８】
図１を参照すると、本発明に係るインプラント包装容器は、インプラントを収容するための空間を定義する内壁１１１を含む本体部１１０と、前記本体部１１０の一側に分離可能に結合されるキャップ部１３０と、前記本体部１１０内で前記インプラントの位置を固定する固定部１２０と、前記キャップ部１３０と向かい合うように前記本体部１１０に結合された底部１５０と、前記本体部１１０の内壁１１１に備えられ、前記底部１５０側から照射された紫外線を反射させる本体部反射体３８０と、を含んでもよい。
【００３９】
前記本体部１１０は、その形状が特に限定されておらず、多角形筒状又は円筒状であってもよいが、反射体１４０によって反射された紫外線が本発明の一実施例に係る前記インプラント包装容器に装着されたインプラント１００の全領域に照射できるという点で円筒状であることが好ましい。また、前記本体部１１０の直径及び長さは、通常の歯科用インプラントが実装できる直径及び長さであれば特に限定されないが、反射効率及び経済性を考慮した上で、長さは１０ｍｍ以上３０ｍｍ以下で、直径は４ｍｍ以上２０ｍｍ以下であることが好ましい。一方、前記本体部１１０は、内部に実装された前記インプラント１００を確認できるように透明な材質であってもよい。
【００４０】
前記本体部１１０の一側にキャップ部１３０が結合されてもよく、前記キャップ部１３０は前記本体部１１０から分離可能なものであることが好ましい。前記キャップ部１３０には、前記本体部１１０の内部に延長される固定部１２０が装着されてもよく、前記固定部１２０は、前記インプラント１００のアバットメント接続部分１０２と結合されてもよい。このとき、前記インプラント包装容器内において、前記インプラント１００は、フィクスチャー１０３が前記底部１５０に向かい、マウント１０１が前記キャップ部１３０に向かうように前記固定部１２０によって固定されてもよい。
【００４１】
したがって、前記インプラント包装容器は、前記キャップ部１３０に延長された前記固定部１２０に前記インプラント１００を装着させた後、前記本体部１１０と前記キャップ部１３０とを結合させることによって、前記インプラント１００を前記インプラント包装容器に実装して保管する、又は目的に応じて移送することができる。
【００４２】
図２を参照すると、前記固定部１２０は、前記底部１５０から前記本体部１１０の内部に照射される紫外線を反射させるための固定部反射体２８０をさらに含んでもよい。前記インプラントのフィクスチャー１０３は、凸部及び凹部が螺旋状に繰り返される形状であるので、前記底部１５０から前記キャップ部１３０の一方向のみに紫外線が照射される場合、前記フィクスチャー１０３の紫外線が照射できない領域が発生し得る。
【００４３】
したがって、前記インプラント包装容器は、前記固定部反射体２８０をさらに含むことによって、前記底部１５０から前記キャップ部１３０の方向のみならず、前記キャップ部１３０から前記底部１５０の方向にも紫外線を照射させることができる。その結果、インプラントが患者の顎骨に埋め込まれる前にインプラントのフィクスチャーの全領域にわたって紫外線が均一に照射できるように制御し、フィクスチャーの親水性を簡便に且つ効率的に向上させることによって、フィクスチャーの生体組織に対する生体適合性を向上させ、移植時の骨との結合時間を短縮させることができる。
【００４４】
前記底部１５０は、前記キャップ部１３０の反対方向において、前記本体部１１０に結合されてもよい。また、前記底部１５０は、紫外線が通過できるように透明な材質であってもよく、前記本体部１１０に着脱可能に結合されてもよい。
【００４５】
したがって、本発明の一実施例に係る前記インプラント包装容器は、前記底部１５０が前記本体部１１０から着脱可能に形成されてもよく、前記底部１５０を除去し、前記キャップ部１３０の反対方向に紫外線が照射される装置を結合させることによって前記本体部１１０の内部に紫外線が照射される構造であってもよい。
【００４６】
又は、本発明の一実施例に係る前記インプラント包装容器は、前記底部１５０が透明な紫外線通過材質で形成され、前記底部１５０を除去することなく、前記キャップ部１３０の反対方向に紫外線が照射される装置を位置させることによって前記本体部１１０の内部に紫外線が照射される構造であってもよい。
【００４７】
前記インプラント包装容器は、前記本体部１１０の内壁に備えられ、前記底部１５０側から照射された紫外線を反射させる本体部反射体１４０を含んでもよい。
【００４８】
前記本体部反射体１４０は、前記底部１５０を透過した紫外線を反射させることができ、アルミニウム系物質、フッ素系ポリマー、ＳＵＳ、ガラス及びセラミック系物質からなる群から選ばれるいずれか一つ又はこれらの組み合わせを含む材質であってもよい。また、前記フッ素系ポリマーとしては、ＰＴＦＥ（Ｐｏｌｙｔｅｔｒａｆｌｕｏｒｏｅｔｈｙｌｅｎｅ）、ＰＶＦ（ｐｏｌｙｖｉｎｙｌ  ｆｌｕｏｒｉｄｅ）、ＰＶＤＦ（Ｐｏｌｙｖｉｎｙｌｉｄｅｎｅ  ｆｌｕｏｒｉｄｅ）、ＰＣＴＦＥ（Ｐｏｌｙｃｈｌｏｒｏｔｒｉｆｌｕｏｒｏｅｔｈｙｌｅｎｅ）、ＦＥＰ（Ｆｌｕｏｒｉｎａｔｅｄ  ｅｔｈｙｌｅｎｅ  ｐｒｏｐｙｌｅｎｅ）、ＥＴＦＥ（Ｅｔｈｙｌｅｎｅ  ｔｅｔｒａｆｌｕｏｒｏｅｔｈｙｌｅｎｅ）、ＥＣＴＦＥ（Ｅｔｈｙｌｅｎｅ  ＣｈｌｏｒｏＴｒｉＦｌｕｏｒｏＥｔｈｙｌｅｎｅ）、ＰＦＰＥ（Ｐｅｒｆｌｕｏｒｏｐｏｌｙｅｔｈｅｒ）などを使用してもよい。前記本体部反射体１４０の材質としては、アルミニウム又はポリテトラフルオロエチレンを使用することが好ましい。
【００４９】
一方、前記本体部反射体１４０は、厚さが３００ｎｍ以上５ｃｍ以下の範囲であってもよく、厚さが３００ｎｍ未満である場合は、紫外線の反射率が著しく低下するおそれがあり、厚さが５ｃｍ超過である場合は、前記インプラント包装容器の体積が不必要に増加するので非経済的になり得る。
【００５０】
前記本体部反射体１４０の長さは、前記本体部に収容される前記インプラントのフィクスチャー１０３の長さの１／３以上であることが好ましく、前記本体部に収容される前記インプラントのフィクスチャー１０３の長さの１／３未満である場合、前記本体部１１０の内部に照射された紫外線が前記フィクスチャー１０３の全面積に照射されないおそれがある。
【００５１】
図６（ａ）は、本発明の一実施例に係るインプラント包装容器の本体部及び本体部反射体を示した斜視図で、図６（ｂ）〜図６（ｆ）は、図６（ａ）を参照して、本発明の一実施例に係るインプラント包装容器の本体部反射体の多様な形態を示した断面図である。
【００５２】
図１及び図６（ａ）〜図６（ｆ）を参照すると、前記本体部反射体６４０、６４１、６４２、６４３、６４４は、内部空間が前記底部１５０から前記キャップ部１３０に行くほど狭くなるように形成された、少なくとも一部の内壁面領域を含み、前記底部１５０から前記キャップ部１３０の方向に前記本体部１１０の内部に照射された紫外線が前記インプラントのフィクスチャー１０３の全面積に照射されるように反射効率を向上させることができる。
【００５３】
このとき、本発明の一実施例に係る前記本体部反射体６４０、６４１、６４２、６４３、６４４は、反射性物質で構成された前記本体部１１０であってもよい。すなわち、前記本体部１１０又は前記本体部の内壁１１１に反射性物質が形成されてもよく、この場合、別途の反射性物質が本体部の内壁１１１にコーティング又は蒸着されなくてもよい。
【００５４】
また、本発明の一実施例に係る前記本体部反射体１４０は、前記本体部の内壁１１１又は外側表面にコーティングされた反射物質層であってもよい。すなわち、前記本体部の内壁１１１又は前記本体部１１０が紫外線透過材質である場合、前記本体部１１０の外側表面に前記反射物質層をコーティングしてもよい。前記反射物質層をコーティングする方法は、公知の方法であってもよく、例えば、浸漬、噴霧、電着、ブラスティング、スプレッドコーティングなどの方法であってもよい。
【００５５】
前記本体部の内壁１１１に前記本体部反射体１４０が設けられた場合、前記本体部１１０は、紫外線透過物質で形成される必要がなく、紫外線を吸収又は反射させる物質で形成されてもよい。したがって、本発明の一実施例に係る前記インプラント包装容器は、前記本体部１１０が必ずしも紫外線透過材質で形成される必要はないので製造単価を低下させることができる。
【００５６】
一方、本発明の一実施例に係る前記本体部反射体１４０は、前記本体部に付着できる反射テープであってもよい。すなわち、前記本体部の内壁１１１又は前記本体部１１０が紫外線透過材質である場合、前記本体部１１０の表面に前記反射テープを接着させることができる。
【００５７】
また、本発明の一実施例に係る前記本体部反射体１４０は、前記本体部１１０に挿入された筒状の反射体であってもよい。
【００５８】
この場合、図３〜図４及び図９〜図１０を参照すると、前記インプラント包装容器は、前記本体部の内壁１１１、７１１に前記本体部反射体１４０、７４０を固定する１以上の結着部３９０、４９０、９９０、１０９０をさらに含んでもよい。
【００５９】
また、図５及び図１１を参照すると、前記インプラント包装容器は、前記筒状の前記本体部反射体１４０、７４０を据え置くことができるように、前記本体部１１０、７１０の内部において前記本体部反射体１４０、７４０と前記底部１５０、  ７５０との間に据置部５９０、１１９０をさらに含んでもよい。
【００６０】
第２実施例
図７〜図１１は、本発明の第２実施例に係るインプラント包装容器を示した断面図である。
【００６１】
本発明の第２実施例に係る前記インプラント包装容器は、インプラント１００を収容するための空間を定義する内壁７１１を含む本体部７１０と、前記本体部７１０の一側に分離可能に結合されるキャップ部７３０と、前記本体部７１０内で前記インプラント１００の位置を固定する固定部７２０と、前記キャップ部７３０と向かい合うように前記本体部７１０に結合された底部７５０と、前記本体部７１０の内壁７１１に備えられ、照射された紫外線７７０を反射させる本体部反射体７４０と、を含むという点で、前記第１実施例に係る前記インプラント包装容器の構成と同一であり、前記第１実施例で記述した構成を採用してもよい。
【００６２】
また、本発明の第２実施例に係る前記インプラント包装容器は、前記本体部反射体７４０の厚さ、長さ、形状、材料、前記本体部７１０と前記本体部反射体７４０との結合関係に関する構成、前記結着部９９０、１０９０及び前記据置部１１９０をさらに含むという点で、前記第１実施例に係る前記インプラント包装容器の構成と同一であり、前記第１実施例で記述した構成を採用してもよい。
【００６３】
したがって、本発明の第２実施例に係る前記インプラント包装容器に関する構成のうち、紫外線光源７６０、前記底部７５０、及び電流供給装置との結合関係についてのみ詳細に記述する。
【００６４】
本発明の第２実施例に係る前記インプラント包装容器は、前記本体部７１０の内部に紫外線７７０を照射するための紫外線光源７６０をさらに含み、前記紫外線光源７６０は前記底部７５０に配置されてもよい。前記紫外線光源７６０が装着された前記底部７５０は、印刷回路基板（ＰＣＢ、ＰＲＩＮＴＥＤ  ＣＩＲＣＵＩＴ  ＢＯＡＲＤ）で構成されてもよく、又は前記印刷回路基板を含んでもよい。
【００６５】
図１２〜図１３は、本発明の第２実施例に係るインプラント包装容器の接続端子の結合形態を示した断面図である。
【００６６】
図１２を参照すると、前記底部７５０は、電流供給装置１０に接続するための第１接続端子２０を有してもよい。図１２に示したように、前記第１接続端子２０は、前記底部７５０の下部に形成されてもよい。この場合、前記インプラント包装容器が電流供給装置１０上に置かれるとき、前記第１接続端子２０が電流供給装置１０の第２接続端子３０に接続されることによって前記紫外線光源７６０が駆動することができる。
【００６７】
図１３を参照すると、図１２を参照して説明した底部７５０とほぼ類似しているが、本実施例の底部７５０は本体部７１０の外側に延長され、前記底部７５０の上面に前記第１接続端子２０が形成されている点において相違している。前記第１接続端子２０は、多様な連結構造を通じて電流供給装置１０に電気的に接続され得る。
【００６８】
図１２及び図１３を参照して接続端子２０の配置について説明したが、図１２及び図１３に示した実施例に限定されなく、多様な形態の接続端子が提供され得る。また、多様な形態の電流供給装置１０に前記第１接続端子２０が接続され、前記インプラント包装容器内に実装された前記インプラント１００に紫外線７７０を照射することができる。
【００６９】
前記紫外線光源７６０は、波長が２００ｎｍ以上３８０ｎｍ以下であってもよく、好ましくは、２５０ｎｍ以上３５０ｎｍ以下の波長を使用して前記フィクスチャー１０３の親水性を向上させると同時に、殺菌効果を向上させることができる。
【００７０】
また、前記紫外線光源７６０の光出力が増加すると共に、前記フィクスチャー１０３の親水性及び殺菌効率が向上するが、光出力発生効率を共に考慮した上で、０．０１Ａ以上２Ａ以下の電流及び２Ｖ以上２０Ｖ以下の電圧を使用することが好ましい。
【００７１】
前記本体部反射体から前記インプラントまでの最短距離をＡとし、前記紫外線光源から前記インプラントまでの最短距離をＢとしたとき、Ａ及びＢは、０．１ｍｍ≦Ａ≦５０ｍｍを満たし、０．７≦Ｂ／Ａ≦１であってもよい。
【００７２】
前記Ｂ／Ａが０．７未満である場合は、前記紫外線光源７６０と前記フィクスチャー１０３との接触によって前記フィクスチャー１０３が損傷したり、反射効率が減少するという問題が発生し得る。また、前記Ｂ／Ａが１超過である場合は、前記フィクスチャー１０３の前記アバットメント接続部分１０２に隣接した部分と前記紫外線光源７６０との距離が過度に遠くなり、前記フィクスチャー１０３の親水性が発現される効果が減少し得る。
【００７３】
以上では、本発明の特定の部分を詳細に記述したが、当業界で通常の知識を有する者にとって、このような具体的な記述は好ましい実施例に過ぎなく、これによって本発明の範囲が制限されないことは明らかである。したがって、本発明の実質的な範囲は、添付の特許請求の範囲及びそれらの等価物によって定義されると見なすことができる。
【符号の説明】
【００７４】
１１０、７１０、１１１０：本体部    １１１、７１１：内壁
１２０、７２０：固定部    １３０、７３０：キャップ部
１５０、７５０：底部    ２８０、８８０：固定部反射体
７６０：紫外線光源    ７７０：紫外線
５９０、１１９０：据置部    ３９０、４９０、９９０、１０９０：結着部
１００：インプラント    １０３：フィクスチャー
１０１：アバットメント    １０２：アバットメント接続部分
１０：電流供給装置    ２０：第１接続端子
３０：第２接続端子
１４０、７４０、６４０、６４１、６４２、６４３、６４４：本体部反射体
【図１】
2019514583.tif 000003
【図２】
2019514583.tif 000004
【図３】
2019514583.tif 000005
【図４】
2019514583.tif 000006
【図５】
2019514583.tif 000007
【図６】
2019514583.tif 000008
【図７】
2019514583.tif 000009
【図８】
2019514583.tif 000010
【図９】
2019514583.tif 000011
【図１０】
2019514583.tif 000012
【図１１】
2019514583.tif 000013
【図１２】
2019514583.tif 000014
【図１３】
2019514583.tif 000015
【国際調査報告】
2019514583.tif 000016
2019514583.tif 000017
2019514583.tif 000018
2019514583.tif 000019